(57)【要約】【課題】Ｘ線分析において液体試料を保持するための構造を簡単にしてハンドリングを容易にする。【解決手段】液体試料Ｓに一次Ｘ線を照射して当該液体試料Ｓから発生する二次Ｘ線を検出し、液体試料Ｓに含まれる成分を分析するＸ線分析方法であって、液体試料Ｓを試料吸収材２１に含浸させて、当該試料吸収材２１に含浸した液体試料Ｓに向かって一次Ｘ線を照射する。【選択図】図１
2019152622.tif 000002
【特許請求の範囲】
【請求項１】
液体試料に一次Ｘ線を照射して当該液体試料から発生する二次Ｘ線を検出し、前記液体試料に含まれる成分を分析するＸ線分析方法であって、
前記液体試料を試料吸収材に含浸させて、当該試料吸収材に含浸した前記液体試料に向かって前記一次Ｘ線を照射する、Ｘ線分析方法。
【請求項２】
前記試料吸収材から染み出した前記液体試料に向かって前記一次Ｘ線を照射する、請求項１に記載のＸ線分析方法。
【請求項３】
前記試料吸収材の第１部位から前記液体試料を導入して含浸させるとともに、前記試料吸収材の前記第１部位とは異なる第２部位に含浸した前記液体試料に向かって前記一次Ｘ線を照射する、請求項１又は２記載のＸ線分析方法。
【請求項４】
上部に開口を有する容器に前記液体試料を貯留し、
前記液体試料が貯留された前記容器の開口を塞ぐように前記試料吸収材を嵌め、
前記試料吸収材が嵌められた前記容器をひっくり返すことによって、前記試料吸収材に前記液体試料を含浸させ、
前記容器に前記試料吸収材が嵌められた状態で、前記試料吸収材に含浸した前記液体試料に向かって前記一次Ｘ線を照射する、請求項１乃至３の何れか一項に記載のＸ線分析方法。
【請求項５】
前記液体試料の導入ポート及び導出ポートを有する容器であって前記試料吸収材を収容する容器本体及び当該容器本体に着脱可能に設けられる蓋を有する容器に前記試料吸収材を収容し、
前記導入ポートから前記液体試料を導入して前記試料吸収材に前記液体試料を含浸させ、
前記試料吸収材に前記液体試料を含浸させた後に、前記蓋を取り外し、前記試料吸収材が前記容器本体に収容された状態で、前記試料吸収材に含浸した前記液体試料に向かって前記Ｘ線を照射する、請求項１乃至３の何れか一項に記載のＸ線分析方法。
【請求項６】
液体試料に一次Ｘ線を照射して当該液体試料から発生する二次Ｘ線を検出し、前記液体試料に含まれる成分を分析するＸ線分析装置に用いられる試料セルであって、
前記液体試料を含浸する試料吸収材と、
開口を有し、当該開口を臨むように前記試料吸収材を収容する容器とを備える試料セル。
【請求項７】
Ｘ線分析装置に用いられる試料セルであって、
試料を含浸する試料吸収材と、
開口を有し、前記試料吸収材を収容する容器と、
前記容器の開口を封止するフィルムとを備える、試料セル。
【請求項８】
前記容器は、前記試料吸収材を収容する容器本体と、当該容器本体に着脱可能に設けられる蓋とを有し、
前記蓋に前記開口が形成されており、
前記フィルムは前記蓋に設けられている、請求項７記載の試料セル。
【請求項９】
請求項６乃至８の何れか一項に記載の試料セルと、
前記試料セルの試料吸収材に含浸した液体試料に一次Ｘ線を照射するＸ線照射部と、
前記液体試料から発生する二次Ｘ線を検出するＸ線検出部とを備えるＸ線分析装置。
【発明の詳細な説明】
【技術分野】
【０００１】
本発明は、Ｘ線分析方法、試料セル及びＸ線分析装置に関するものである。
【背景技術】
【０００２】
従来、例えば蛍光Ｘ線分析装置において液体試料を測定する場合には、特許文献１に示すように液体試料を収容して保持する試料セルが用いられている。
【０００３】
この試料セルは次のように組み立てられる。つまり、図９に示すように、使い捨て容器における試料充填部とスカート部との間に内枠を嵌め込み、次いで、試料充填部内に液体試料を充填した後に（図９（ａ））、試料充填部内の試料充填空間を覆うように窓材（透明フィルム）を被せる（図９（ｂ））。その後、窓材の上方から使い捨て容器のスカート部の外周に外枠を嵌め込む（図９（ｃ））。これにより試料セルが組み立てられる。この試料セルは、逆さにした状態（窓材を下にした状態で）蛍光Ｘ線分析装置にセットされ、試料セルの窓材を介して液体試料に一次Ｘ線が照射される。
【０００４】
しかしながら、この試料セルは、液体試料を保持するためには窓材（透明フィルム）を挟んだ状態で内枠に外枠を嵌め込む必要があり、液体試料を保持するための構造が複雑であるだけでなく、組み立て途中や分解途中において液体試料が漏れ出てしまう等のように、ハンドリングが難しいという問題がある。
【先行技術文献】
【特許文献】
【０００５】
【特許文献１】特開２０１１−１３０２７号公報
【発明の概要】
【発明が解決しようとする課題】
【０００６】
そこで本発明は、上述した課題を解決すべくなされたものであり、Ｘ線分析において液体試料を保持するための構造を簡単にしてハンドリングを容易にすることをその主たる課題とするものである。
【課題を解決するための手段】
【０００７】
すなわち本発明に係るＸ線分析方法は、液体試料に一次Ｘ線を照射して当該液体試料から発生する二次Ｘ線を検出し、前記液体試料に含まれる成分を分析するＸ線分析方法であって、前記液体試料を試料吸収材に含浸させて、当該試料吸収材に含浸した前記液体試料に向かって前記一次Ｘ線を照射することを特徴とする。
【０００８】
このような分析方法であれば、液体試料を試料吸収材に含浸させることによって液体試料を保持するので、Ｘ線分析において液体試料を保持するための構造を簡単にすることができる。また、試料吸収材に液体試料を含浸させているので、液体試料が漏れにくくなり、ハンドリングを容易にすることができる。
【０００９】
試料吸収材から染み出した液体試料は、試料吸収材を通過することになるので固形の不純物が除去されることになる。このため、前記試料吸収材から染み出した前記液体試料に向かって前記一次Ｘ線を照射することが望ましい。これならば、固形の不純物からの二次Ｘ線による測定誤差を低減することができる。
【００１０】
不純物の除去を確実に行うとともに、不純物からの二次Ｘ線による測定誤差を低減するためには、試料吸収材への液体試料の導入位置と一次Ｘ線を照射する照射位置とが異なることが望ましい。具体的には、前記試料吸収材の第１部位から前記液体試料を導入して含浸させるとともに、前記試料吸収材の前記第１部位とは異なる第２部位に含浸した前記液体試料に向かって前記一次Ｘ線を照射することが望ましい。
【００１１】
試料吸収材への液体試料の具体的な含浸方法としては、上部に開口を有する容器に前記液体試料を貯留し、前記液体試料が貯留された前記容器の開口を塞ぐように前記試料吸収材を嵌め、前記試料吸収材が嵌められた前記容器をひっくり返すことによって、前記試料吸収材に前記液体試料を含浸させることが考えられる。この含浸方法であれば、液体試料を貯留する容器の開口に試料吸収材を嵌めてひっくり返すだけで試料吸収材に液体試料を含浸させることができるので、試料吸収材に容易に液体試料を含浸させることができる。
【００１２】
前記容器に前記試料吸収材が嵌められた状態で、前記試料吸収材に含浸した前記液体試料に向かって前記一次Ｘ線を照射することによって、容器から試料吸収材を取り外す等の作業が不要となり、Ｘ線分析の前処理を簡単にすることができる。
【００１３】
試料吸収材への液体試料の別の具体的な含浸方法としては、前記液体試料の導入ポート及び導出ポートを有する容器に前記試料吸収材を収容し、前記導入ポートから前記液体試料を導入して前記試料吸収材に前記液体試料を含浸させることが望ましい。この含浸方法であれば、導入ポートから液体試料を導入することによって、試料吸収材に対して液体試料が圧送されることになり、試料吸収材への含浸を確実に行うことができる。
【００１４】
導入ポート及び導出ポートを有する容器の具体的な実施の態様としては、前記容器が、前記試料吸収材を収容する容器本体と、当該容器本体に着脱可能に設けられる蓋とを有することが考えられる。この構成において、液体試料を含浸した試料吸収材を操作すること無く、Ｘ線分析できるようにするためには、前記試料吸収材に前記液体試料を含浸させた後に、前記蓋を取り外し、前記試料吸収材が前記容器本体に収容された状態で、前記試料吸収材に含浸した前記液体試料に向かって前記Ｘ線を照射することが望ましい。
【００１５】
また、本発明に係るＸ線分析用の試料セルは、液体試料に一次Ｘ線を照射して当該液体試料から発生する二次Ｘ線を検出し、前記液体試料に含まれる成分を分析するＸ線分析装置に用いられる試料セルであって、前記液体試料を含浸する試料吸収材と、開口を有し、当該開口を臨むように前記試料吸収材を収容する容器とを備えることを特徴とする。
【００１６】
このような試料セルであれば、液体試料を試料吸収材に含浸させることによって液体試料を保持することができるので、Ｘ線分析において液体試料を保持するための構造を簡単にすることができる。また、試料吸収材に液体試料を含浸させているので、液体試料が漏れにくくなり、ハンドリングを容易にすることができる。この試料セルにおいては、容器の開口を介して試料吸収材に含浸した液体試料に一次Ｘ線が照射される。
【００１７】
さらに、本発明に係る試料セルは、Ｘ線分析装置に用いられる試料セルであって、試料を含浸する試料吸収材と、開口を有し、前記試料吸収材を収容する容器と、前記容器の開口を封止するフィルムとを備えることを特徴とする。
【００１８】
このような試料セルであれば、液体試料を試料吸収材に含浸させることによって液体試料を保持することができるので、Ｘ線分析において液体試料を保持するための構造を簡単にすることができる。また、試料吸収材に液体試料を含浸させているので、液体試料が漏れにくくなり、ハンドリングを容易にすることができる。この試料セルにおいては、容器の開口を介して試料吸収材に含浸した液体試料に一次Ｘ線が照射される。さらに、開口を封止するフィルムが設けられているので、開口をフィルムにより封止した後は、容器から液体試料が漏れ出る心配がない。
【００１９】
容器の具体的な実施の態様としては、前記容器は、前記試料吸収材を収容する容器本体と、当該容器本体に着脱可能に設けられる蓋とを有し、前記蓋に前記開口が形成されており、前記フィルムは前記蓋に設けられていることが望ましい。この構成であれば、蓋を容器本体に取り付けるのと同時に容器にフィルムを取り付けることができる。
【００２０】
さらに、本発明に係るＸ線分析装置は、上述した試料セルと、前記試料セルの試料吸収材に含浸した液体試料に一次Ｘ線を照射するＸ線照射部と、前記液体試料から発生する二次Ｘ線を検出するＸ線検出部とを備えることを特徴とする。
【発明の効果】
【００２１】
このように構成した本発明によれば、液体試料を試料吸収材に含浸させることによって液体試料を保持するので、Ｘ線分析において液体試料を保持するための構造を簡単にしてハンドリングを容易にすることができる。
【図面の簡単な説明】
【００２２】
【図１】第１実施形態の蛍光Ｘ線分析装置の構成を示す模式図である。
【図２】第１実施形態の試料セルを分解した状態を示す断面図である。
【図３】第１実施形態の試料セルの組み立て方法を示す模式図である。
【図４】第２実施形態の試料吸収材への液体試料の含浸方法を示す模式図である。
【図５】第２実施形態の容器本体にフィルムを取り付けた状態を示す模式図である。
【図６】第２実施形態の試料セルを蛍光Ｘ線分析装置に取り付けた状態を示す模式図である。
【図７】変形実施形態の試料セルの構成を示す模式図である。
【図８】変形実施形態の試料セルの構成を示す模式図である。
【図９】従来の試料セルの組み立て例を示す図である。
【発明を実施するための形態】
【００２３】
＜第１実施形態＞
以下に本発明に係る蛍光Ｘ線分析装置の第１実施形態について図面を参照して説明する。
【００２４】
本実施形態に係る蛍光Ｘ線分析装置１００は、例えば油等の液体試料Ｓに一次Ｘ線を照射して、当該液体試料Ｓから発生する蛍光Ｘ線（二次Ｘ線）を検出し、検出した蛍光Ｘ線のスペクトルから、液体試料Ｓに含まれる成分（例えば硫黄や鉄等の元素）の特定及びこの成分の濃度の算出等の分析を行う蛍光Ｘ線分析装置である。なお、二次Ｘ線としては、透過Ｘ線、散乱Ｘ線又は反射Ｘ線などを検出して液体試料を分析するものであっても良い。
【００２５】
具体的に蛍光Ｘ線分析装置１００は、図１に示すように、試料セル２を載置するセルホルダ（試料セル台）３と、試料セル２へ一次Ｘ線を照射するＸ線管（Ｘ線照射部）４と、一次Ｘ線の照射により生じる蛍光Ｘ線を検出するＸ線検出器（Ｘ線検出部）５とを備えている。
【００２６】
試料セル２は、図１及び図２に示すように、液体試料Ｓを試料吸収材２１に含浸させて当該液体試料Ｓを保持するものである。具体的に試料セル２は、液体試料Ｓを含浸する試料吸収材２１と、開口２２Ｈを有し、当該開口２２Ｈを臨むように試料吸収材２１を収容する容器２２とを備えている。
【００２７】
試料吸収材２１は、液体試料Ｓを含浸する構造又は素材を有するものである。試料吸収材２１は、液体試料を保持できるものであれば良く、好ましくは濾過できるものが好ましい。例えば樹脂製のスポンジ、例えば金属製の細い線を丸めたもの、例えば紙製のフィルタ、多孔質体、軽石やキャピラリを用いて構成したもの等を用いること本実施形態の試料吸収材２１は、容器本体２２１の開口部の形状に対応した形状をなし、具体的には円板状をなしている。また、試料吸収材２１は、照射される一次Ｘ線が透過して外部に漏洩しないようにするために、４ｍｍ以上の厚みを有するものである。
【００２８】
その他、試料吸収材２１は、液体試料Ｓ中の不純物を分離するものであり、例えば、液体試料Ｓを含浸して液体試料Ｓ中の油分と水分とを分離するものであっても良い。この場合、蛍光Ｘ線分析装置１００は、分離された油分を分析するものであっても良いし、水分を分析するものであっても良い。また、試料吸収材２１は、液体試料Ｓを含浸して酸性成分とアルカリ性成分を分離する等のイオン選択性を有するものであっても良い。この場合、蛍光Ｘ線分析装置１００は、分離された酸性成分を分析するものであっても良いし、アルカリ性成分を分析するものであっても良い。また、試料吸収材２１は液体試料に含まれる気泡を除去することもできる。
【００２９】
容器２２は、試料吸収材２１を収容する容器本体２２１と、当該容器本体２２１に着脱可能に設けられる蓋２２２とを有している。
【００３０】
容器本体２２１は、内部に液体試料Ｓが入れられるとともに、容器本体２２１の開口部２２１ａに試料吸収材２１が嵌め入れられる。なお、試料吸収材２１の外周に設けられて当該試料吸収材２１を保持する保持体（不図示）を有する構成の場合には、当該保持体を容器本体２２１の開口部２２１ａに嵌め入れる。
【００３１】
蓋２２２は、その中央部に開口２２Ｈが形成されている。そして、この開口２２Ｈを封止するようにＸ線透過フィルム２３が設けられている。本実施形態では、蓋２２２の内面側にＸ線透過フィルム２３が設けられているが、蓋２２２の外面側にＸ線透過フィルム２３を設けても良い。なお、蓋２２２と容器本体２２１との間に液漏れ防止用のＯリング等のシール部材を設けても良い。
【００３２】
次に、このように構成した試料セル２の組立方法について図３を参照して説明する。
【００３３】
まず、容器本体２２１に測定対象となる液体試料Ｓを所定量入れる（図３（ａ））。
【００３４】
次に、容器本体２２１の開口部２２１ａに当該容器本体２２１の開口部２２１ａの形状と対応した試料吸収材２１を嵌め入れる（図３（ｂ））。
【００３５】
そして、フィルム２３が設けられた蓋２２２を容器本体２２１の開口部２２１ａに取り付ける。本実施形態は、容器本体２２１と蓋２２２とは例えばネジ構造の螺合により取り付けられる。容器本体２２１に蓋２２２を取り付けた状態でＸ線透過フィルム２３は、試料吸収材２１の上面に接触又は若干の隙間を開けて近接している。これにより、試料セル２が組み立てられる（図３（ｃ））。ここで、蓋２２２は容器本体２２１にネジ構造により着脱可能に構成されているので、蓋２２２を容器本体２２１から取り外す際に、弾性変形を利用した蓋構造に比べて、液体試料Ｓが飛び散りにくい。
【００３６】
その後、蛍光Ｘ線分析装置１００のセルホルダ３にセットする前に、試料セル２を上下逆さまにひっくり返して重力の作用によって液体試料Ｓを試料吸収材２１の第１部位である上面から含浸させる（図３（ｄ））。この状態で、Ｘ線透過フィルム２３は、試料吸収材２１の鉛直下方に位置する。所定時間この状態を維持し、或いは、試料吸収材２１の第２部位である下面から液体試料Ｓが染み出したことを確認した後に、試料セル２をセルホルダ３にセットする。
【００３７】
次にこのように構成した試料セル２を用いた蛍光Ｘ線分析方法について説明する。
【００３８】
上記のように試料吸収材２１に液体試料Ｓを含浸させた試料セル２をセルホルダ３にセットする。
【００３９】
この状態でセルホルダ３（試料セル２）の下側に設けられたＸ線照射部４から一次Ｘ線を試料吸収材２１に向かって照射する。これにより、一次Ｘ線は、Ｘ線透過フィルム２３を介して試料吸収材２１の下面から染み出した液体試料Ｓに照射される。ここで、液体試料Ｓは、試料吸収材２１とＸ線透過フィルム２３との間を満たしたものであっても良い。
【００４０】
一次Ｘ線が照射された液体試料Ｓから発生する蛍光Ｘ線は、セルホルダ３（試料セル２）の下側に設けられたＸ線検出部５により検出される。Ｘ線検出部５から出力される検出信号は演算処理部（不図示）に出力されて、所定の演算処理が行われて液体試料Ｓに含まれる成分が分析される。
【００４１】
ここで、容器２２の開口２２ＨにＸ線透過フィルム２３が設けられているので、Ｘ線透過フィルム２３は、Ｘ線照射部４及びＸ線検出部５と試料吸収材２１との間に設けられることになる。これにより、試料吸収材２１から染み出した液体試料Ｓが容器外部に漏れ出ることがなく、ひいては、セル外部が汚れることを防ぐことができる。
【００４２】
また、本実施形態では容器２２に液体試料Ｓ及び試料吸収材２１を収容して試料セル２を上下逆さまにひっくり返して試料吸収材２１に液体試料Ｓを含浸させているので、ひっくり返した状態で、液体試料Ｓは試料吸収材２１の上面から導入されて含浸する。そして、試料吸収材２１の下面に一次Ｘ線が照射される。これにより、含浸前の液体試料Ｓに含まれていた固形の不純物は、試料吸収材２１の上面部分で濾されて除去され、固形の不純物が除去された液体試料Ｓが試料吸収材２１の下面部分に進み、試料吸収材２１の下面から染み出すことになる。その試料吸収材２１の下面（第２部位）から染み出した液体試料Ｓに一次Ｘ線を照射することによって、固形の不純物による測定誤差を低減することができる。
【００４３】
＜第１実施形態の効果＞
このように構成した第１実施形態の蛍光Ｘ線分析装置１００によれば、液体試料Ｓを試料吸収材２１に含浸させることによって液体試料Ｓを保持するので、蛍光Ｘ線分析において液体試料Ｓを保持するための構造を簡単にすることができる。また、試料吸収材２１に液体試料Ｓを含浸させているので、液体試料Ｓが漏れにくくなり、ハンドリングを容易にすることができる。
【００４４】
また、液体試料Ｓを貯留する容器本体２２１の開口部２２１ａに試料吸収材２１を嵌めてひっくり返すだけで試料吸収材２１に液体試料Ｓを含浸させることができるので、試料吸収材２１に容易に液体試料Ｓを含浸させることができる。
【００４５】
さらに、容器本体２２１に試料吸収材２１が嵌められた状態で、蛍光Ｘ線分析を行うことができるので、容器本体２２１から試料吸収材２１を取り外す等の作業が不要となり、蛍光Ｘ線分析の前処理を簡単にすることができる。
【００４６】
＜第２実施形態＞
次に本発明の第２実施形態について説明する。なお、第２実施形態では、液体試料Ｓの含浸方法及び試料セル２の構成が前記第１実施形態とは異なる。
【００４７】
第２実施形態の液体試料Ｓの含浸方法は、図４に示すように、液体試料Ｓの導入ポートＰ１及び導出ポートＰ２を有する含浸用容器２４に試料吸収材２１を収容し、導入ポートＰ１から液体試料Ｓを導入して試料吸収材２１に液体試料Ｓを含浸させる。このとき試料吸収材２１の導入ポートＰ１側の面である第１部位から液体試料Ｓが含浸されて、導出ポートＰ２側の面である第２部位から液体試料Ｓが染み出す。
【００４８】
ここで、含浸用容器２４は、図４に示すように、導入ポートＰ１が形成され、試料吸収材２１を収容する容器本体２４１と、当該容器本体２４１に着脱可能に設けられ、導出ポートＰ２が形成された蓋２４２とを有している。本実施形態では、容器本体２４１の底壁に導入ポートＰ１が形成されている。また、蓋２４２の上壁に導出ポートＰ２が形成されている。導入ポートＰ１には、液体試料Ｓを加圧して導入するための導入チューブ（図示しない）が接続され、導出ポートＰ２には、液体試料を導出するための導出チューブが接続される。なお、含浸用容器２４への液体試料Ｓを調整することによって、導出ポートＰ２に接続する導出チューブを不要にすることもできる。この構成により、導入ポートＰ１から液体試料Ｓを導入することによって、液体試料Ｓは、試料吸収材２１の下面（第１部位）から導入されて、試料吸収材２１の上面（第２部位）から導出されることになる。
【００４９】
そして、試料吸収材２１への含浸終了後、含浸用容器２４の蓋２４２を取り外し、Ｘ線透過フィルム２３が固定された測定用の蓋２４３を容器本体２４１に取り付ける（図５参照）。この測定用の蓋２４３は、前記第１実施形態の蓋２２２と同様の構成である。これにより、試料セル２が組み立てられる。そして、測定用の蓋２４３が下となるようにセルホルダ３にセットして、蛍光Ｘ線分析を行う（図６参照）。
【００５０】
＜第２実施形態の効果＞
このように構成した第２実施形態の蛍光Ｘ線分析装置１００によれば、前記第１実施形態と同様に、液体試料Ｓを試料吸収材２１に含浸させることによって液体試料Ｓを保持するので、蛍光Ｘ線分析において液体試料Ｓを保持するための構造を簡単にしてハンドリングを容易にすることができる。
【００５１】
また、導入ポートＰ１及び導出ポートＰ２を有する含浸用容器２４を用いて試料吸収材２１に対して液体試料Ｓを圧送しているので、試料吸収材２１への含浸を確実に行うことができる。なお、導入ポートＰ１からの液体試料Ｓの導入は圧送でなくても良い。
【００５２】
さらに、含浸用容器２４の蓋２４２を取り外し測定用の蓋２４３を取り付けることによって試料セル２が組み立てられるので、液体試料Ｓを含浸した試料吸収材２１を操作すること無く、蛍光Ｘ線分析の前処理を簡単にすることができる。
【００５３】
＜その他の変形実施形態＞
なお、本発明は前記実施形態に限られるものではない。
【００５４】
前記実施形態では容器２２に収容する試料吸収材を１つとしているが、複数種類の試料吸収材２１を収容しても良い。例えば、図７に示すように、目の粗さの異なる、或いは、材質の異なる複数種類の試料吸収材２１ａ、２１ｂを収容することが考えられる。この場合、液体試料Ｓを含浸させるために導入される導入側に目の粗い試料吸収材２１ａを配置し、一次Ｘ線が照射される測定側に目の細かい試料吸収材２１ｂを配置することが考えられる。このように液体試料Ｓの導入側から目の粗い試料吸収材２１ａ及び目の細かい試料吸収材２１ｂをこの順で配置しているので、目の粗い試料吸収材２１ａにより大きな固形の不純物を取りつつ、液体を含侵させることができる。目の粗い試料吸収材２１ａは液体試料Ｓが浸み込みやすい。また、目の細かい試料吸収材２１ｂで固形の不純物を確実に濾し取ることができる。その他、目の細かい試料吸収材のみに比べて、含侵するまでの時間を短くすることができる。
【００５５】
前記実施形態では、液体試料Ｓを含浸させる容器２２から液体試料Ｓを含浸した試料吸収材２１を取り外すこと無く蛍光Ｘ線分析装置１００にセットする構成であったが、液体試料Ｓを含浸させる容器２２から液体試料Ｓを含浸した試料吸収材２１を取り外して別の容器に収容する等して蛍光Ｘ線分析装置１００にセットするようにしても良い。
【００５６】
前記実施形態において、図８に示すように、試料吸収材２１の下面とＸ線透過フィルム２３とを離間して設けておき、試料吸収材２１から染み出してＸ線透過フィルム２３の上面に垂れ落ちた液体試料Ｓに一次Ｘ線を照射しても良い。
【００５７】
前記実施形態では、液体試料Ｓを導入する導入面と、一次Ｘ線が照射される被照射面とが互いに対向する面（上面及び下面）であったが、これに限られず、例えば導入面と被照射面とが互いに直交する面である等、互いに異なる面であっても良い。つまり、試料吸収材２１の第１部位から液体試料Ｓを導入して含浸させるとともに、試料吸収材２１の第１部位とは異なる第２部位に含浸した液体試料Ｓに向かって一次Ｘ線を照射すれば、不純物による測定誤差を低減することができる。
【００５８】
その他、本発明は前記実施形態に限られず、その趣旨を逸脱しない範囲で種々の変形が可能であるのは言うまでもない。
【符号の説明】
【００５９】
１００・・・Ｘ線分析装置
Ｓ    ・・・液体試料
２    ・・・試料セル
２１  ・・・試料吸収材
２２  ・・・容器
２２Ｈ・・・開口
２３  ・・・フィルム
２４  ・・・容器
Ｐ１  ・・・導入ポート
Ｐ２  ・・・導出ポート
２４１・・・容器本体
２４２・・・蓋
【図１】
2019152622.tif 000003
【図２】
2019152622.tif 000004
【図３】
2019152622.tif 000005
【図４】
2019152622.tif 000006
【図５】
2019152622.tif 000007
【図６】
2019152622.tif 000008
【図７】
2019152622.tif 000009
【図８】
2019152622.tif 000010
【図９】
2019152622.tif 000011